(57)【特許請求の範囲】
【請求項１】
画像形成装置と、
オプション装置と、
前記画像形成装置と前記オプション装置とを接続する電源線と、
を備え、
前記画像形成装置は、
当該画像形成装置を制御する装置制御部と、
画像形成部と、
前記装置制御部に供給する制御用電圧と、前記画像形成部に供給する装置駆動用電圧とを生成する装置電源と、を有し、
前記オプション装置は、
前記画像形成部と連携して駆動される駆動負荷と、
前記駆動負荷に供給するオプション駆動用電圧を生成するオプション電源と、
前記オプション電源を制御するオプション制御部であって、前記電源線を介して前記装置電源から前記制御用電圧を供給されるオプション制御部と、
前記オプション電源の動作状態に応じて、異なる検出信号をオプション制御部へ送信する検出回路と、を有し、
前記検出回路は、前記オプション駆動用電圧の大きさが基準電圧以上であることに応じて第１検出信号を送信し、基準電圧に比べて小さいことに応じて第２検出信号を送信し、
前記オプション装置は、外部電源と接続するための電源コードを有し、
前記オプション電源は、前記オプション駆動用電圧を前記基準電圧以上とする通常モードと、前記オプション駆動用電圧を前記基準電圧に比べて低くする低出力モードとを有し、
前記オプション制御部は、前記第２検出信号の受信に応じて、前記低出力モードを解除する解除信号を前記オプション電源へ送信する低出力モード解除信号送信処理を実行することを特徴とする画像形成システム。
【請求項２】
前記オプション制御部は、前記低出力モード解除信号送信処理を実行した後、前記第１検出信号を受信することに応じて、前記オプション電源を前記低出力モードへ移行させる移行信号を送信する低出力モード移行信号送信処理を実行することを特徴とする請求項１に記載の画像形成システム。
【請求項３】
前記オプション制御部は、前記低出力モード解除信号送信処理を実行した後、前記第２検出信号を受信することに応じて、前記オプション装置の前記電源コードが前記外部電源に接続されていない旨の情報を、前記装置制御部へ通知する通知処理を実行することを特徴とする請求項１又は請求項２に記載の画像形成システム。
【請求項４】
前記オプション電源は、前記低出力モードとして、前記オプション駆動用電圧の生成を停止する第１低出力モードを含み、
前記オプション制御部からパルス信号である第１低出力モード移行信号を受信したことに応じて、前記第１低出力モードへ移行する第１低出力モード移行処理と、
前記オプション制御部から前記第１低出力モード移行信号とはパルス幅が異なる第１低出力モード解除信号を受信したことに応じて前記第１低出力モードを解除する第１低出力モード解除処理と、を実行することを特徴とする請求項２に記載の画像形成システム。
【請求項５】
前記オプション装置は、
前記オプション制御部と、前記オプション電源とを接続する信号線と、
グランド電圧を供給するグランドに前記信号線を接続するプルダウン抵抗と、を有し、
前記オプション電源は、前記低出力モードとして、前記第１低出力モードに比べて電圧値が高く、且つ前記通常モードに比べて電圧値が低い前記オプション駆動用電圧を生成する第２低出力モードを含み、
前記オプション制御部から前記信号線を介して、前記グランド電圧の電圧値の第２低出力モード移行信号を受信したことに応じて、前記第２低出力モードへ移行する第２低出力モード移行処理と、
前記オプション制御部から前記信号線を介して、前記グランド電圧に比べて高い電圧値の第２低出力モード解除信号を受信したことに応じて、前記通常モードへ移行する通常モード移行処理と、を実行することを特徴とする請求項４に記載の画像形成システム。
【請求項６】
前記オプション電源は、前記第１低出力モードにおいて、前記第２低出力モード解除信号を受信した場合に、前記第１低出力モードを維持する第１低出力モード維持処理を実行することを特徴とする請求項５に記載の画像形成システム。
【発明の詳細な説明】
【技術分野】
【０００１】
本発明は、画像形成装置と、オプション装置とを備える画像形成システムにおいて、オプション装置の電源を制御する技術に関する。
【背景技術】
【０００２】
従来、画像形成装置と、そのオプション装置とを接続した画像形成システムがある（例えば、特許文献１など）。特許文献１に開示される画像形成システムが備える画像形成装置には、オプション装置として、当該画像形成装置にシートを供給する複数の給紙装置と、画像形成装置によって画像が形成されたシートに対する製本処理、ステープルを用いて綴じる処理等の後処理を行う複数の後処理装置とが接続されている。給紙装置及び後処理装置の各々は、商用電源と接続される電源部を備える。給紙装置及び後処理装置の制御回路には、電源部から電力が供給される。また、給紙装置等が備える駆動回路は、電源部から供給される電力よってモータやソレノイド等を駆動する。
【０００３】
また、画像形成装置は、電源のオン・オフを指示する制御信号を、通信インターフェースを介して給紙装置等に送信する。給紙装置等の制御回路は、受信した制御信号の内容を判定し、制御内容に応じて電源部から駆動回路への電力供給の開始、又は停止を行う。
【先行技術文献】
【特許文献】
【０００４】
【特許文献１】特開２００６−０３５７５１号公報
【発明の概要】
【発明が解決しようとする課題】
【０００５】
上記した画像形成システムでは、給紙装置等の制御回路は、画像形成装置からの制御信号を受信して画像形成装置の動作と連動しながら駆動回路の起動、又は停止を実行する。このため、制御回路は、画像形成装置からいつ送信されてくるか分からない制御信号を受信するために、通信インターフェースを介して入力される制御信号を常時監視しなければならなくなる。即ち、制御回路を常時動作状態とするために、電源部からの電力を制御回路に供給し続ける必要が生じ、消費電力の増加を招く虞があった。
【０００６】
本願に開示される技術は、上記の課題に鑑み提案されたものである。画像形成装置と、オプション装置とを備える画像形成システムにおいて、省電力化が可能な画像形成システムを提供することを目的とする。
【課題を解決するための手段】
【０００７】
上記課題を解決するために、本発明の画像形成システムは、画像形成装置と、オプション装置と、画像形成装置とオプション装置とを接続する電源線と、を備え、画像形成装置は、当該画像形成装置を制御する装置制御部と、画像形成部と、装置制御部に供給する制御用電圧と、画像形成部に供給する装置駆動用電圧とを生成する装置電源と、を有し、オプション装置は、画像形成部と連携して駆動される駆動負荷と、駆動負荷に供給するオプション駆動用電圧を生成するオプション電源と、オプション電源を制御するオプション制御部であって、電源線を介して装置電源から制御用電圧を供給されるオプション制御部と、オプション電源の動作状態に応じて、異なる検出信号をオプション制御部へ送信する検出回路と、を有することを特徴とする。
【０００８】
当該画像形成システムでは、画像形成装置の装置電源は、電源線を介してオプション制御部に制御用電圧を供給する。即ち、オプション装置側のオプション制御部は、画像形成装置からの電力供給を受けて動作する。これにより、オプション制御部を、装置制御部が起動している時のみ動作させることが可能となる。従来のオプション制御部は、装置制御部からの制御信号を受信するために、常時、起動される必要があり、消費電力の増加を招いていた。これに対し、当該画像形成装置のオプション制御部は、装置制御部の起動、及び停止に連動して動作することが可能となり、省電力化を図ることが可能となっている。
【０００９】
ここで、従来の画像形成システムでは、例えば、オプション制御部の制御用電圧をオプション電源から供給しており、オプション制御部を起動するのは、オプション装置の電源コードを商用電源に接続した場合となっている。即ち、オプション制御部を起動するのは、オプション電源を起動した場合となっている。この場合、オプション制御部は、自らの起動をもってして、オプション電源の起動、換言すれば、オプション装置の電源コードを商用電源に接続したと判定できる。しかしながら、当該画像形成システムのように、オプション制御部の制御用電圧を、画像形成装置の装置電源から供給する構成では、例えば、画像形成装置側の電源コードを商用電源に接続していれば、オプション装置の電源コードの挿抜状態に係わらず、オプション制御部を起動することとなる。その結果、オプション制御部は、自らの起動だけでは、オプション装置の電源コードにおける接続の有無を判定できなくなる。従って、装置電源からオプション制御部へ制御用電圧を供給する構成においては、オプション制御部の起動時等に、オプション電源の状態を判定できる方法が必要となってくる。
【００１０】
これに対し、当該画像形成システムでは、検出回路は、オプション電源の動作状態に応じて、異なる検出信号を送信する。ここでいう「オプション電源の動作状態」とは、例えば、上記したオプション装置の電源コードの接続の有無、即ち、商用電源等からオプション電源への入力の有無である。あるいは、オプション電源の中には、省電力化を図るため各モードに応じて駆動負荷に供給するオプション駆動用電圧の電圧値を変更するものがある。この場合、検出回路は、各モード（動作状態）に応じて異なる検出信号を送信してもよい。そして、オプション制御部は、検出回路から受信した検出信号に基づいて、オプション電源の動作状態を判定する。これにより、画像形成装置（装置電源）からオプション制御部へ制御用電圧を供給する構成であっても、オプション制御部は、その起動時等に、オプション電源の動作状態を判定でき、電源コードの挿抜の有無等を判定することが可能となる。
【００１１】
また、本発明の画像形成システムにおいて、検出回路は、オプション駆動用電圧の大きさが基準電圧以上であることに応じて第１検出信号を送信し、基準電圧に比べて小さいことに応じて第２検出信号を送信する構成としてもよい。
【００１２】
当該画像形成システムでは、オプション制御部は、検出回路からの第１及び第２検出信号に基づいて、オプション駆動用電圧を基準電圧以上であるか否かを判定できる。例えば、オプション制御部は、第２検出信号の受信に基づいて、オプション電源を低出力の状態であると判定することが可能となる。つまり、オプション制御部は、検出回路から受信した第１及び第２検出信号に基づいて、オプション電源の状態を判定することが可能となる。
【００１３】
また、本発明の画像形成システムにおいて、オプション装置は、外部電源と接続するための電源コードを有し、オプション電源は、オプション駆動用電圧を基準電圧以上とする通常モードと、オプション駆動用電圧を基準電圧に比べて低くする低出力モードとを有し、オプション制御部は、第２検出信号の受信に応じて、低出力モードを解除する解除信号をオプション電源へ送信する低出力モード解除信号送信処理を実行する構成としてもよい。
【００１４】
オプション制御部は、検出回路から受信する第１及び第２検出信号に基づいて、オプション駆動用電圧が基準電圧以上であるか否かを判定できる。しかしながら、例えば、オプション電源が低出力モードを備え、低出力モードにおいてオプション駆動用電圧を０Ｖとする場合（第１低出力モードなど）には、オプション制御部は、低出力モード中であるためにオプション駆動用電圧を０Ｖとしているのか、電源コードが接続されていないためにオプション駆動用電圧を生成できないのかを判別することはできない。これに対し、当該画像形成システムでは、例えば、オプション電源は、オプション制御部からの解除信号に応答して通常モードへ移行すると、オプション駆動用電圧を基準電圧以上とする。そして、検出回路は、第１検出信号をオプション制御部へ送信することとなる。このため、オプション制御部は、検出回路から受信する信号が第２検出信号から第１検出信号に変更されることを検出することで、オプション電源が低出力モードから通常モードへ移行したことを検出できる。この場合、オプション装置は、電源コードから電力が供給されており、オプション電源を各モードで動作させていることとなる。
【００１５】
一方、オプション電源は、例えば、外部電源から電力が供給されておらず停止している場合、オプション制御部からの解除信号に反応しない。そして、検出回路は、第２信号を維持することとなる。このため、オプション制御部は、受信する信号が第２信号で維持されていることから、オプション電源に電力が供給されていないこと、即ち、電源コードが接続されていないことを検出することが可能となる。
【００１６】
ここで、例えば、オプション電源にゼロクロス回路を設け、当該ゼロクロス回路の出力信号をオプション制御部へ送信することで、オプション制御部は、電源コードの接続の有無を判定することも可能である。また、この種の画像形成システムでは、画像形成部によってシートに形成した画像を熱で定着させるためのヒータ等の制御において、ゼロクロス回路を用いることが一般的である。しかしながら、給紙処理等を行うためであって画像形成機能を持たないオプション装置は、このようなゼロクロス回路による制御が必要な装置（ヒータ等）を備える可能性は低い。このため、電源コードの接続の有無だけを検出するためにゼロクロス回路をオプション電源に取り付けるとなると、内部構造が複雑化するため好ましくない。これに対し、当該画像形成システムでは、オプション装置にゼロクロス回路を取り付けずとも、低出力モードと電源コードが接続されていない状態とを判定できるため、オプション電源の構造の簡易化等を図ることが可能となる。
【００１７】
また、本発明の画像形成システムにおいて、オプション制御部は、低出力モード解除信号送信処理を実行した後、前記第１検出信号を受信することに応じて、前記オプション電源を前記低出力モードへ移行させる移行信号を送信する低出力モード移行信号送信処理を実行する構成としてもよい。
【００１８】
オプション制御部は、解除信号を送信したことで第１検出信号を受信できたこと、即ち、電源コードが接続され外部電源からオプション電源に電力が供給されていることを検出すると、再度、オプション電源を低出力モードへ移行させる。これにより、オプション制御部は、電源コードの接続を確認した上で、省電力化を図ることが可能となる。
【００１９】
また、本発明の画像形成システムにおいて、オプション制御部は、低出力モード解除信号送信処理を実行した後、第２検出信号を受信することに応じて、オプション装置の電源コードが外部電源に接続されていない旨の情報を、装置制御部へ通知する通知処理を実行する構成としてもよい。
【００２０】
装置制御部は、オプション制御部からの通知に応じて、例えば、オプション装置の電源コードが接続されていない旨をユーザに報知することができる。より具体的には、装置制御部は、その旨を操作パネルに表示させる、対応する表示ランプを点灯させる、あるいはネットワークを通じて管理用の外部ＰＣへ通知する等が実行可能となる。また、装置制御部は、例えば、給紙装置（オプション装置の一例）からシートを供給させて印刷する際に、オプション装置の電源コードの切断を検出した場合には、画像形成装置の給紙トレイから代替え可能なシートを供給して印刷を実行することも可能となる。つまり、装置制御部は、ユーザへの報知に限らず、電源コードの切断に起因した不具合を回避する処理を実行することも可能となる。
【００２１】
また、本発明の画像形成システムにおいて、オプション電源は、低出力モードとして、オプション駆動用電圧の生成を停止する第１低出力モードを含み、オプション制御部からパルス信号である第１低出力モード移行信号を受信したことに応じて、第１低出力モードへ移行する第１低出力モード移行処理と、オプション制御部から第１低出力モード移行信号とはパルス幅が異なる第１低出力モード解除信号を受信したことに応じて第１低出力モードを解除する第１低出力モード解除処理と、を実行する構成としてもよい。
【００２２】
オプション電源は、第１低出力モードへ移行すると、オプション駆動用電圧の生成を停止することで、省電力化を図ることが可能となる。また、第１低出力モード移行信号（移行信号の一例）及び第１低出力モード解除信号（解除信号の一例）としてパルス幅の異なるパルス信号を用いることで、例えば、オプション制御部は、パルス信号の立ち上がり及び立ち下がりを検出することで、第１低出力モード移行信号又は第１低出力モード解除信号の判別をすることが可能となる。
【００２３】
また、本発明の画像形成システムにおいて、オプション装置は、オプション制御部と、オプション電源とを接続する信号線と、グランド電圧を供給するグランドに信号線を接続するプルダウン抵抗と、を有し、オプション電源は、低出力モードとして、第１低出力モードに比べて電圧値が高く、且つ通常モードに比べて電圧値が低いオプション駆動用電圧を生成する第２低出力モードを含み、オプション制御部から信号線を介して、グランド電圧の電圧値の第２低出力モード移行信号を受信したことに応じて、第２低出力モードへ移行する第２低出力モード移行処理と、オプション制御部から信号線を介して、グランド電圧に比べて高い電圧値の第２低出力モード解除信号を受信したことに応じて、通常モードへ移行する通常モード移行処理と、を実行する構成としてもよい。
【００２４】
オプション電源は、オプション制御部から信号線を介してグランド電圧の第２低出力モード移行信号（移行信号の一例）を受信すると、通常モードに比べてオプション駆動用電圧を下げる第２低出力モードへ移行する。また、オプション制御部は、第２低出力モード移行信号に比べて電圧値が高い第２低出力モード解除信号（解除信号の一例）を受信すると、通常モードへ移行する。このような構成において、オプション電源が通常モードの状態で、何らかの原因によってオプション制御部が停止してしまった場合、オプション電源は、第２低出力モードへ移行できず、省電力化を図ることができなくなる。ここでいう「オプション制御部が停止する状態」とは、例えば、画像形成装置側の電源コードだけが抜かれた場合、画像形成装置とオプション装置とが正しく接続されていない場合、あるいは、電源コードを挿してすぐに装置制御部が初期設定を実行した後に停止した場合などに、装置電源からオプション制御部への制御用電圧の供給が停止される状態である。これに対し、当該オプション装置では、オプション制御部とオプション電源とを接続する信号線が、プルダウン抵抗を介してグランドに接続されている。このため、オプション制御部が停止し、第２低出力モード移行信号及び第２低出力モード解除信号のいずれもが出力されていない状態では、信号線の電圧値を、グランド電圧とすることができる。このため、オプション電源は、信号線を介してグランド電圧、即ち、第２低出力モード移行信号が入力されることとなり、第２低出力モードへ移行する。従って、何らかの原因によってオプション制御部が停止してしまっても、オプション電源から出力されるオプション駆動用電圧の電圧値を下げて省電力化を図ることが可能となる。
【００２５】
また、本発明の画像形成システムにおいて、オプション電源は、第１低出力モードにおいて、第２低出力モード解除信号を受信した場合に、第１低出力モードを維持する第１低出力モード維持処理を実行する構成としてもよい。
【００２６】
オプション電源には、第１低出力モードと、第２低出力モードとの２つの省電力化を図るモードが設定されている。この場合、オプション制御部は、検出回路から第２検出信号を受信した場合に、オプション電源が第１低出力モード又は第２低出力モードであるのかを判別する必要が生じる。これに対し、当該オプション電源は、第１低出力モード中に第２低出力モード解除信号を受信しても第１低出力モードを維持する。このため、オプション制御部は、例えば、第２検出信号を受信する状態において第２低出力モード解除信号を送信した後も、検出回路から第２検出信号を受信する場合には、オプション電源を第１低出力モードであると判定することができる。一方、オプション制御部は、第２低出力モード解除信号を送信した後、検出回路から第１検出信号を受信する場合には、オプション電源を第２低出力モードであると判定することができる。つまり、オプション制御部は、第２低出力モード解除信号と、検出回路からの第１及び第２検出信号とを併用することによって、第１低出力モードと第２低出力モードとを判別することが可能となる。
【００２７】
また、本発明の画像形成システムにおいて、検出回路は、外部電源からオプション電源に供給される交流電圧のゼロクロスタイミングに同期したゼロクロス信号を生成するゼロクロス信号生成回路である構成としてもよい。
【００２８】
当該画像形成システムでは、例えば、オプション制御部は、ゼロクロス信号生成回路から受信したゼロクロス信号のパルスの有無を判定することで、オプション電源が外部電源に接続されているか否かを判定することが可能となる。
【発明の効果】
【００２９】
本発明に記載の画像形成システムでは、省電力化を図ることが可能となる。
【図面の簡単な説明】
【００３０】
【図１】一実施形態に係るプリンタシステムの構成を概略的に示すブロック図である。
【図２】プリンタシステムの電源に係る構成を概略的に示すブロック図である。
【図３】電源に係る構成を概略的に示す回路図である。
【図４】ＭＣＵがタワートレイ低圧電源の制御に用いるタワートレイ低圧電源信号を説明するための図である。
【図５】タワートレイの電源制御に係わる状態遷移図である。
【図６】ＭＣＵの起動時の判定処理を示すフローチャートである。
【図７】別例のプリンタシステムの構成を概略的に示すブロック図である。
【発明を実施するための形態】
【００３１】
以下、本願の一実施形態について図面を参照して説明する。図１は、本願に係る画像形成システムの一実施形態であるプリンタシステム１００の構成を示している。図１に示すように、プリンタシステム１００は、プリンタ１及びタワートレイ７０を備えている。プリンタ１は、画像形成装置の一例である。また、タワートレイ７０は、オプション装置の一例である。なお、画像形成装置は、プリンタに限らず、例えば、コピー機、スキャナー、あるいは複合機であってもよい。
【００３２】
プリンタ１とタワートレイ７０とは、電源線ＳＬ１及び複数の通信線ＣＬ１，ＣＬ２の各々を介して接続されている。電源線ＳＬ１は、プリンタ１に設けられた電圧出力端子とタワートレイ７０に設けられた電圧入力端子とを接続する。また、複数の通信線ＣＬ１，ＣＬ２の各々は、プリンタ１に設けられた通信用端子とタワートレイ７０に設けられた通信用端子とを接続する。
【００３３】
プリンタ１は、印刷部（「画像形成部」の一例）２、通信部３Ａ、画像メモリ３Ｂ、表示部４、給紙部５、及び電源システム７を備えている。電源システム７は、電源部１０、及び制御装置５０を備えている。電源部１０は、プリンタ１の電源として機能する。また、本実施形態の電源部１０は、タワートレイ７０のタワートレイ制御部７１の電源としても機能する。
【００３４】
印刷部２は、感光ドラム２Ａ、感光ドラム２Ａの表面を帯電させる帯電器２Ｂ、感光ドラム２Ａの表面に静電潜像を形成する露光装置２Ｃ、感光ドラム２Ａの表面に形成された静電潜像に現像剤を付着させて現像剤像を形成する現像器２Ｄ、シート（用紙、ＯＨＰシートなど）に現像剤像を転写する転写器２Ｅ、シート上に転写された現像剤像をヒータの熱によって定着させる定着器２Ｆ、及びシートを搬送する搬送部２Ｇ等を備えている。印刷部２は、感光ドラム２Ａ等を駆動して、シート上に印刷データに基づく画像を印刷する。
【００３５】
通信部３Ａは、ネットワーク等を介して接続された外部の情報端末（ＰＣなど）との間で通信を行うものであり、該情報端末から印刷ジョブを受信する。画像メモリ３Ｂは、情報端末から受信した印刷ジョブに含まれる印刷データなどを一時的に記憶するものである。表示部４は、例えば、静電容量方式のタッチパネルと、液晶表示式の表示パネルを厚さ方向に重ねた構成であり、タッチパネル上に表示された操作キーを押圧操作することで、各種の入力操作を行うことが可能な構成となっている。給紙部５は、給紙トレイ５Ａ及び給紙機構５Ｂを備えている。給紙トレイ５Ａには、印刷に使用するシートが収納されている。給紙機構５Ｂは、ピックアップローラや給紙ローラ等を備え、シートを搬送部２Ｇに供給する。搬送部２Ｇは、モータ、ギア、ソレノイド、搬送ローラ、及びベルト等を備え、給紙部５から給紙されたシートを、印刷部２が備える各部に搬送する。
【００３６】
上記したプリンタ１は、例えば、通信部３Ａにより情報端末から印刷ジョブを受信すると、制御装置５０に印刷ジョブを処理させる。制御装置５０は、印刷部２の各部によって印刷処理を実行させることで、シートに印刷データに基づく画像を印刷する。
【００３７】
電源システム７は、印刷部２、通信部３Ａ、制御装置５０等に駆動用電圧を供給する。例えば、印刷部２の定着器２Ｆ、搬送部２Ｇ、及び給紙部５等の駆動用電圧は、主に２４Ｖである。これに対し、制御装置５０、通信部３Ａ、及び画像メモリ３Ｂの駆動用電圧は、主に３．３Ｖである。
【００３８】
また、プリンタ１は、動作モードとして、レディモード、プリントモード、スリープモード、ディープスリープモード、及びオフモードを有する。「レディモード」とは、プリンタ１が印刷ジョブに応答して即座に印刷処理を実行できる状態にあるモードである。そのため、レディモードにおいては、電源システム７は動作している。定着器２Ｆは、詳しくは、定着器２Ｆのヒータは、定着可能な定着温度、あるいは定着温度よりやや低い待機温度に維持されるように制御装置５０によって通電制御されている。「プリントモード」とは、印刷部２が動作し、印刷処理を実行するモードである。定着器２Ｆのヒータは、定着可能な定着温度に維持されるように制御装置５０によって通電制御されている。
【００３９】
また、「スリープモード」とは、印刷処理を完了してから印刷ジョブの実行要求や表示部４のタッチパネルを介したユーザによる入力操作等が所定時間（例えば、５分間）なく、プリンタ１が待機状態にあるモードである。スリープモードは、省電力のモードであり、定着器２Ｆのヒータへの通電を停止し、表示部４の表示パネルのバックライトを消灯させ非表示とするモードである。なお、スリープモードでは、ユーザによる入力操作には迅速に応答すべく、表示部４のタッチパネルの機能については有効となっている。
【００４０】
また、「ディープスリープモード」とは、スリープモードに移行してから印刷ジョブの実行要求やユーザによる入力操作等が所定時間（例えば、５分間）ない場合に、さらなる省電力化を図るモードである。ディープスリープモードでは、詳細には後述するように、例えば、電源システム７は、その一部しか動作しておらず、電源部１０から印刷部２等へ供給する装置駆動用電圧を、２４Ｖから６Ｖに下げることによって省電力化を図る。また、制御装置５０は、処理の主体を図示しないメインＣＰＵから消費電力がメインＣＰＵより少ない図示しないサブＣＰＵに切り替えることによって省電力化を図る。なお、ディープスリープモードにおいても、ユーザによる入力操作には迅速に応答すべく、表示部４のタッチパネルの機能については有効となっている。
【００４１】
また、「オフモード」とは、ディープスリープモードに比べてさらに省電力を図るモードであり、詳細には後述するように、電源システム７は、ディープスリープモードに比べてさらにその一部しか動作していない。オフモードは、例えば、電源ボタンＳＷ１（図２参照）がユーザによって押圧されることによって移行する。
【００４２】
次に、タワートレイ７０の構成について説明する。タワートレイ７０は、図１に示すように、タワートレイ制御部（「オプション制御部」の一例）７１、タワートレイ低圧電源（「オプション電源」の一例）７２、給紙機構（「駆動負荷」の一例）７３、及び複数（本実施形態では４個）の給紙トレイＴ１，Ｔ２，Ｔ３，Ｔ４を備えている。
【００４３】
タワートレイ制御部７１は、例えば、マイクロコンピュータ（ＭＣＵ）によって構成されている。以下、タワートレイ制御部７１を「ＭＣＵ７１」と記載する。ＭＣＵ７１は、プリンタ１の電源部１０から、詳しくは、電源部１０の本体低圧電源２０（図２参照）から電源線ＳＬ１を介して、３．３Ｖの制御用電圧を供給される。
【００４４】
給紙機構７３は、ピックアップローラや給紙ローラの駆動源としてのモータ、ソレノイド、ギア、ファン等を備えている。給紙機構７３は、ＭＣＵ７１の制御に基づいて、印刷部２と連携して駆動され、複数の給紙トレイＴ１〜Ｔ４に収納されたシートを、給紙ローラ等を駆動してプリンタ１に供給する。
【００４５】
タワートレイ低圧電源７２は、ＭＣＵ７１の制御に基づいて、給紙機構７３に供給する２４Ｖのオプション駆動用電圧を生成する。本実施形態のタワートレイ低圧電源７２では、ＭＣＵ７１からの制御に基づいてモードを変更し、オプション駆動用電圧の電圧値を変更する。例えば、タワートレイ低圧電源７２は、プリンタ１がレディモード、プリントモード、スリープモードの各モードにおいて、２４Ｖのオプション駆動用電圧を供給するモード（タワートレイ低圧電源７２側の通常モード）となる。また、タワートレイ低圧電源７２は、プリンタ１がディープスリープモードにおいて、オプション駆動用電圧の生成を停止する第１低出力モードとなる。また、タワートレイ低圧電源７２は、プリンタ１がオフモードにおいても、第１低出力モードとなる。この状態では、オプション駆動用電圧は、０Ｖとなる。また、タワートレイ低圧電源７２は、この他にも後述する６Ｖのオプション駆動用電圧を供給する第２低出力モードを有する。
【００４６】
詳述すると、図２に示すように、タワートレイ低圧電源７２は、ＭＣＵ７１からの制御信号（タワートレイ低圧電源信号ＴＴＳ−ＯＮ／ＯＦＦ）によって、タワートレイ低圧電源７２のオン・オフ、具体的には、スイッチング電源の発振のオン・オフを制御可能となっている。本実施形態のＭＣＵ７１は、例えば、タワートレイ低圧電源７２を起動するのに合わせて、起動を示すパルス信号（以下、「ＯＮパルス」という）ＰＳ１（図４参照）を、タワートレイ低圧電源信号ＴＴＳ−ＯＮ／ＯＦＦとしてタワートレイ低圧電源７２へ送信し起動する。また、ＭＣＵ７１は、例えば、プリンタ１のディープスリープモードに合わせて、タワートレイ低圧電源７２をオフするパルス信号（以下、「ＯＦＦパルス」という）ＰＳ２（図４参照）をタワートレイ低圧電源７２へ送信し、オプション駆動用電圧の生成を停止させる。本実施形態では、ＯＮパルスＰＳ１のパルス幅は、ＯＦＦパルスＰＳ２に比べて短くなっている。例えば、ＯＮパルスＰＳ１の立ち上がっている時間ＴＭ１は、０．２２ｍｓである。また、例えば、ＯＦＦパルスＰＳ２の立ち上がっている時間ＴＭ２は、１．７ｍｓである。
【００４７】
また、タワートレイ低圧電源７２は、ＭＣＵ７１から信号線ＣＬ５を介して入力される制御信号（Ｄｅｅｐ−ＯＮ／ＯＦＦ信号）によって、オプション駆動用電圧の電圧値を変更可能となっている。例えば、ＭＣＵ７１は、ローレベルのＤｅｅｐ−ＯＮ／ＯＦＦ信号をタワートレイ低圧電源７２へ送信し、オプション駆動用電圧を２４Ｖから６Ｖに下げ、第２低出力モードへ移行させることが可能となっている。また、ＭＣＵ７１は、例えば、ハイレベルのＤｅｅｐ−ＯＮ／ＯＦＦ信号をタワートレイ低圧電源７２へ送信し、オプション駆動用電圧を２４Ｖに戻し、通常モードへ移行させることが可能となっている。
【００４８】
ハイレベルのＤｅｅｐ−ＯＮ／ＯＦＦ信号の電位は、例えば、３．３Ｖである。また、ローレベルのＤｅｅｐ−ＯＮ／ＯＦＦ信号の電位は、例えば、０Ｖである。信号線ＣＬ５は、プルダウン抵抗ＲＤを介してグランドに接地されており、グランド電圧Ｖｇｄが供給されている。従って、ＭＣＵ７１からハイレベルのＤｅｅｐ−ＯＮ／ＯＦＦ信号が送信されていない状態では、信号線ＣＬ５の電位は、グランド電位（０Ｖ）となる。タワートレイ低圧電源７２は、信号線ＣＬ５の電位がグランド電位となると、ローレベル（０Ｖ）のＤｅｅｐ−ＯＮ／ＯＦＦ信号を受信する状態となり、オプション駆動用電圧を６Ｖとする。なお、上記したＤｅｅｐ−ＯＮ／ＯＦＦ信号の電位は一例であり、適宜変更してもよい。
【００４９】
また、タワートレイ低圧電源７２から出力されるオプション駆動用電圧は、コンパレータ７７に入力される。コンパレータ７７は、例えば、１２Ｖの基準電圧と、オプション駆動用電圧とを比較して比較結果を検出信号ＳＫとしてＭＣＵ７１に送信する。コンパレータ７７は、例えば、オプション駆動用電圧が基準電圧を上回っている場合には、ハイレベルの検出信号ＳＫをＭＣＵ７１に出力し、オプション駆動用電圧が基準電圧を下回っている場合には、ローレベルの検出信号ＳＫをＭＣＵ７１に出力する。従って、タワートレイ低圧電源７２から２４Ｖのオプション駆動用電圧が出力される場合には、コンパレータ７７は、ハイレベルの検出信号ＳＫをＭＣＵ７１へ送信する。また、オプション駆動用電圧が６Ｖ又は０Ｖの場合には、コンパレータ７７は、ローレベルの検出信号ＳＫをＭＣＵ７１へ送信する。
【００５０】
なお、本実施形態において、タワートレイ低圧電源７２の電源容量は、例えば、複数の給紙トレイＴ１〜Ｔ４の内、少なくとも一個の給紙トレイを駆動する電源容量に設定されている。これは、複数の給紙トレイＴ１〜Ｔ４が同時に動くことは無いため、タワートレイ低圧電源７２の電源容量を、少なくとも一個の給紙トレイを駆動する電源容量に設定することによって、タワートレイ７０（オプション装置）を省電力化できる。例えば、４つの給紙トレイＴ１〜Ｔ４が、この順にタワートレイ７０の上方側から下方向側に向かって順に並ぶとする。４つの給紙トレイＴ１〜Ｔ４のうち、最下段の給紙トレイＴ４からタワートレイ７０の上方のプリンタ１へシートを供給する際に、給紙機構７３のモータを回転させるのに必要な回転トルクが、最大になるとする。つまり、最下段の給紙トレイＴ４からシートを供給する際に、タワートレイ低圧電源７２から給紙機構７３に供給する電力が最大になるとする。この場合には、例えば、タワートレイ低圧電源７２の電源容量を、給紙トレイＴ４を駆動する際に必要な電源容量に設定することが好ましい。また、タワートレイ低圧電源７２の電源容量は、これに限られず、例えば、二個以上の給紙トレイＴ１〜Ｔ４を同時に駆動可能な電源容量でもよい。
【００５１】
次に、図２及び図３を参照して、電源システム７の構成について説明する。電源システム７は、電源ボタン（「電源スイッチ」の一例）ＳＷ１、電源部１０、及び制御装置５０を含む。制御装置５０は、ＡＳＩＣ５１及び電源制御ＩＣ５２を備えている。電源ボタンＳＷ１は、押下に応じてオン信号又はオフ信号を生成して電源制御ＩＣ５２に供給する。
【００５２】
電源部１０は、図２に示すように、本体低圧電源（「装置電源」の一例）２０及び電源制御ＩＣ電源３０を備えている。本体低圧電源２０は、図３に示すように、例えばスイッチング電源で構成され、整流平滑回路２１、制御ＩＣ２２、電圧発生回路２３、トランス２４、ＦＥＴ（電界効果トランジスタ）Ｑ１、整流平滑回路２５、電圧検出回路２６、及びＤＣ−ＤＣコンバータ２７等を備えている。
【００５３】
本体低圧電源２０は、交流電源ＡＣの交流電圧Ｖａｃを整流平滑化し、プリンタ１のレディモード、プリントモード、及びスリープモードにおいて、２４Ｖ及び３．３Ｖの直流電圧を生成する。２４Ｖの直流電圧は第１出力端子ＯＵＴ１から出力される。また、３．３Ｖの直流電圧は、第２出力端子ＯＵＴ２から出力される。また、本体低圧電源２０は、プリンタ１のディープスリープモードにおいて、省電力を図るために、６Ｖの直流電圧及び３．３Ｖを生成する。６Ｖは、第１出力端子ＯＵＴ１から出力される。３．３Ｖは、第２出力端子ＯＵＴ２から出力される。
【００５４】
整流平滑回路２１は、いわゆるコンデンサインプット型であり、交流電源ＡＣの交流電圧Ｖａｃ（例えば、２４０Ｖ）を整流するブリッジダイオードに、整流後の電圧を平滑化するコンデンサを接続して構成されている。整流平滑回路２１の出力は、トランス２４の一次コイルに印加される。
【００５５】
トランジスタＱ１は、ＮチャンネルのＭＯＳＦＥＴであり、制御ＩＣ２２からゲートにオン・オフ信号（ＰＷＭ信号）が供給されることによって、オン・オフ動作する。これにより、トランス２４の一次側が発振し、トランス２４の二次コイルに電圧を誘起させる。
【００５６】
また、トランス２４の一次側には電圧発生回路２３が設けられている。電圧発生回路２３は、トランス２４の一次側に設けられた補助コイルに誘起される電圧を、整流平滑化して、制御ＩＣ２２に電源電圧Ｖｃｃを供給する。なお、制御ＩＣ２２の入力ポートＶＨには、本体低圧電源２０の始動時に、電源電圧が供給される。
【００５７】
整流平滑回路２５は、トランス２４の二次コイルに誘起された電圧を整流平滑化して２４Ｖ（「装置駆動用電圧」の一例）を生成する。ＤＣ−ＤＣコンバータ２７は、整流平滑回路２５から電圧検出回路２６を介して入力される２４Ｖ又は６Ｖを３．３Ｖ（「制御用電圧」の一例）に変換して出力する。
【００５８】
また、電圧検出回路２６は、フォトカプラＰＣ１を含み、本体低圧電源２０の２４Ｖ出力の検出レベルに応じて、フォトカプラＰＣ１の発光ダイオードＬＥＤ１を発光させる。フォトカプラＰＣ１は、制御ＩＣ２２のフィードバックポートＦＢに接続されたフォトトランジスタＰＴ１を含む。このため、発光ダイオードＬＥＤ１の光信号はフォトトランジスタＰＴ１にて電気信号に戻され、２４Ｖ出力の検出値が制御ＩＣ２２のフィードバックポートＦＢにフィードバックされる。
【００５９】
制御ＩＣ２２は、後述する電源制御ＩＣ５２から制御入力ポートＥＮに電源制御信号ＰＳ−ＯＮ／ＯＦＦが入力される。制御ＩＣ２２は、電源制御信号ＰＳ−ＯＮ／ＯＦＦに応じて、出力ポートＯＵＴから出力するトランジスタＱ１へのオン・オフ信号を制御し、トランス２４の一次側の発振を制御する。即ち、制御ＩＣ２２は、電源制御信号ＰＳ−ＯＮ／ＯＦＦに応じて、本体低圧電源２０のオン状態及びオフ状態、を切替える。なお、制御ＩＣ２２は、本体低圧電源２０がオン状態であるとき、ＡＳＩＣ５１からの指令に応じて、通常出力（２４Ｖ）とするか低出力（６Ｖ）とするか、装置駆動用電圧の出力状態を切替える。
【００６０】
ここで、本体低圧電源２０のオン状態は、トランス２４の一次側を発振させた出力可能な状態であり、プリンタ１のレディモード、プリントモード、及びスリープモードに対応し、２４Ｖ及び３．３Ｖを出力する。また、装置駆動用電圧を低出力（６Ｖ）とする状態は、トランス２４の一次側を発振させた出力可能な状態であって、制御ＩＣ２２によるトランジスタＱ１のオン・オフの時間を制御する状態であり、ディープスリープモードに対応し、６Ｖ及び３．３Ｖを出力する。また、本体低圧電源２０のオフ状態は、トランス２４の発振を停止させて本体低圧電源２０の出力を停止する出力停止の状態であり、プリンタ１のオフモードに対応する。
【００６１】
なお、タワートレイ低圧電源７２は、例えば、本体低圧電源２０と同様に、スイッチング電源で構成され、本体低圧電源２０と同様な、整流平滑回路、制御ＩＣ、電圧発生回路、トランス、ＦＥＴ、整流平滑回路、及び電圧検出回路等を備え、ＭＣＵ７１によって制御可能となっている。
【００６２】
次に、電源制御ＩＣ電源３０の構成について説明する。電源制御ＩＣ電源３０は、本体低圧電源２０に比べて電源容量の小さい小容量電源であり、本体低圧電源２０の起動状態に係わらず、換言すれば、プリンタ１のモードに係わらず、電源制御ＩＣ５２に電力を供給する。電源制御ＩＣ電源３０は、各モードにおいて、交流電源ＡＣから制御装置５０の電源制御ＩＣ５２及び制御信号伝送部５３に電力を供給する。
【００６３】
電源制御ＩＣ電源３０は、例えば、図３に示すように、第１コンデンサＣ１、第２コンデンサＣ２、整流回路３１、ツェナーダイオードＺＤ１、平滑コンデンサＣ３、ＤＣ−ＤＣコンバータ３２、及び蓄電用コンデンサＣ４を備えている。整流回路３１は、第１コンデンサＣ１と第２コンデンサＣ２との間に接続され、両コンデンサＣ１，Ｃ２に印加される交流電圧Ｖａｃを整流する。整流回路３１は、４個のダイオードＤ１，Ｄ２，Ｄ３，Ｄ４からなるブリッジ回路によって構成されている。ダイオードＤ３及びダイオードＤ４のアノードは、グランドに接地されグランド電圧Ｖｇｄが供給されている。
【００６４】
平滑コンデンサＣ３は、整流回路３１に接続され、整流された交流電圧を平滑して平滑電圧Ｖｃｈ（例えば、５Ｖ）を生成する。ツェナーダイオードＺＤ１は、交流電源ＡＣの交流電圧Ｖａｃが上昇した場合に、平滑電圧Ｖｃｈの上昇を抑制するためのものである。ＤＣ−ＤＣコンバータ３２は、平滑電圧Ｖｃｈを３．３Ｖに変換する。３．３Ｖは、電源制御ＩＣ５２及び制御信号伝送部５３に供給される。
【００６５】
蓄電用コンデンサＣ４は、ＤＣ−ＤＣコンバータ３２の出力側に接続されており、ＤＣ−ＤＣコンバータ３２から出力される３．３Ｖによって充電される。充電電力は、オフモードからレディモードに切り換わる際等に、制御信号伝送部５３のフォトカプラＰＣ２の発光ダイオードＬＥＤ２の駆動電流に使用される。また、平滑コンデンサＣ３及び蓄電用コンデンサＣ４の容量を適宜に選定することによって、オフモードにおいて、必要に応じた電力量を蓄電することができる。
【００６６】
次に、制御装置５０の構成について説明する。制御装置５０は、図３に示すように、ＡＳＩＣ（特定用途向けＩＣ）５１、電源制御ＩＣ５２、制御信号伝送部５３、及びメモリ５４を含む。ＡＳＩＣ５１は、主に、プリンタ１の印刷部２を制御する。ＡＳＩＣ５１は、タイマ５１Ａを備える。タイマ５１Ａは、レディモードからスリープモードに移行する際の時間計測、及びスリープモードからディープスリープモードに移行する際の時間計測に利用される。
【００６７】
ＡＳＩＣ５１は、オフモード以外の各モードにおいて、本体低圧電源２０のＤＣ−ＤＣコンバータ２７から３．３Ｖの電力が供給される。即ち、ＡＳＩＣ５１は、オフモード以外の各モードにおいて、電力が供給された動作状態となり、本体低圧電源２０が出力停止、即ち、オフモードに移行すると、電力の供給が断たれて停止状態になる。
【００６８】
電源制御ＩＣ５２は、電圧検出回路５２Ａ及びＡＳＩＣリセット部５２Ｂを備えている。また、電源制御ＩＣ５２のポートＰ１は、抵抗Ｒ１を介してＤＣ−ＤＣコンバータ２７のＯＵＴ２に接続されている。電源制御ＩＣ５２は、ＯＵＴ２の出力から３．３Ｖを検出し、本体低圧電源２０の出力を監視する。また、電源制御ＩＣ５２の電源ポートＰ２は、電源制御ＩＣ電源３０の出力側に接続されており、プリンタ１のモードに係わらず、電源制御ＩＣ電源３０から電力が供給される。
【００６９】
また、電源制御ＩＣ５２は、プリンタ１のモード切り換えに応じて、本体低圧電源２０を動作させる動作モードと、本体低圧電源２０の発振を停止させる停止モードとに切り換え制御する。詳述すると、制御信号伝送部５３は、フォトカプラＰＣ２の発光ダイオードＬＥＤ２及びトランジスタＱ２を備えている。発光ダイオードＬＥＤ２のアノードは、電源制御ＩＣ電源３０からの３．３Ｖの電源ラインに接続されている。発光ダイオードＬＥＤ２は、本体低圧電源２０の制御ＩＣ２２の制御入力ポートＥＮに接続されたフォトトランジスタＰＴ２とともに、フォトカプラＰＣ２を構成している。トランジスタＱ２は、発光ダイオードＬＥＤ２のカソードと、グランドとの間に接続されている。電源制御ＩＣ５２の制御ポートＰ３からトランジスタＱ２のベースにパルス状の電源制御信号ＰＳ−ＯＮ／ＯＦＦが出力されると、電源制御信号ＰＳ−ＯＮ／ＯＦＦは、フォトカプラＰＣ２を介して光伝送され、制御ＩＣ２２の制御入力ポートＥＮに入力される。従って、電源制御ＩＣ５２は、制御ＩＣ２２に対してパルス状の電源制御信号ＰＳ−ＯＮ／ＯＦＦを出力することにより、本体低圧電源２０のオン・オフ等を切り換えることが可能となっている。なお、電源制御ＩＣ５２及び制御信号伝送部５３には、本体低圧電源２０のオン・オフ状態に係わらず、電源制御ＩＣ電源３０から電力が供給される。
【００７０】
メモリ５４は、ＲＯＭ及びＲＡＭを含む。ＲＯＭには、ＡＳＩＣ５１が実行する各種プログラムが格納され、ＲＡＭにはプログラムが実行される際の各種データが格納される。また、制御信号伝送部５３と電源制御ＩＣ５２との間には、電源ボタンＳＷ１が接続されている。電源ボタンＳＷ１は、押下に応じたオン信号又はオフ信号を電源制御ＩＣ５２に出力する。ユーザは、電源ボタンＳＷ１を操作することによって、本体低圧電源２０のオン・オフ状態の切り換え、即ちオフモードの設定・解除を電源制御ＩＣ５２に指示することができる。
【００７１】
また、プリンタシステム１００、あるいはプリンタ１は、図２に示すように、プリンタ１とタワートレイ７０とを接続する専用電源コード７Ａを備えている。また、タワートレイ７０は、専用電源コード７Ａが接続される接続部７４、及びプラグ付き電源コード７５を備えている。そして、プリンタシステム１００を使用する際、タワートレイ７０のプラグ付き電源コード７５が交流電源ＡＣに接続され、専用電源コード７Ａを接続部７４に接続する。プリンタ１は、専用電源コード７Ａを介して交流電源ＡＣに接続される。これにより、プリンタシステム１００を交流電源ＡＣへ接続する際の、電源コードの引き回しが簡易化される。なお、プリンタシステム１００の交流電源ＡＣへの接続態様はこれに限られない。例えば、電源システム７とタワートレイ７０とは、個別に交流電源ＡＣに接続されるようにしてもよい。
【００７２】
次に、タワートレイ７０の状態遷移について図５を参照しつつ説明する。図５において、「ＴＴ電源」は、タワートレイ低圧電源７２を示している。例えば、「ＴＴ電源：０Ｖ」は、オプション駆動用電圧の生成を停止したことを示している。また、「ＴＴＳ信号」は、タワートレイ低圧電源信号ＴＴＳ−ＯＮ／ＯＦＦを示している。また、「本体コード」は、プリンタ１の電源コードである専用電源コード７Ａを示している。また、「ＴＴ電源コード」は、タワートレイ７０の電源コード７５を示している。
【００７３】
例えば、図中の右下の状態ＳＴ１は、専用電源コード７Ａ及び電源コード７５のうち少なくとも電源コード７５が交流電源ＡＣに接続されていない状態となる。この状態ＳＴ１において電源コード７５が交流電源ＡＣに接続されると、タワートレイ７０は状態ＳＴ２となる。状態ＳＴ２では、タワートレイ低圧電源７２に電力が供給される。電源コード７５が交流電源ＡＣに接続されて間もない時点では、ＭＣＵ７１は、本体低圧電源２０からの制御電圧の供給がなく、停止状態となっている。このため、信号線ＣＬ５の電位はグランド電位となっている。タワートレイ低圧電源７２は、第２低出力モードとなり、６Ｖのオプション駆動用電圧を生成する。専用電源コード７Ａが接続されていない場合、タワートレイ７０は状態ＳＴ２に留まり、プリンタ１の電源部１０は停止状態となっている。
【００７４】
次に、状態ＳＴ２において、プリンタ１にタワートレイ７０が装着されていて電気的に接続されている状態でプリンタ１の専用電源コード７Ａが接続部７４に接続された場合、あるいはタワートレイ７０が状態ＳＴ２となる前から、既にプリンタ１にタワートレイ７０が装着されていて電気的に接続されている状態で且つプリンタ１の専用電源コード７Ａが接続部７４に接続されていた場合、タワートレイ７０は、状態ＳＴ３となる。状態ＳＴ３において、電源制御ＩＣ電源３０と本体低圧電源２０は、電源コード７５及び専用電源コード７Ａを介して電力が供給され起動する。電源制御ＩＣ電源３０は、３．３Ｖを供給して電源制御ＩＣ５２を起動する。本体低圧電源２０は、起動後に、パワー系の電圧である２４Ｖ（「装置駆動用電圧」の一例）、及びロジック系の電圧である３．３Ｖ（「制御用電圧」の一例）を生成する。本体低圧電源２０は、印刷部２や給紙部５に２４Ｖを供給し、ＡＳＩＣ５１、電源制御ＩＣ５２及びＭＣＵ７１に３．３Ｖを供給する。
【００７５】
電源制御ＩＣ５２の電圧検出回路５２Ａ（図３参照）が３．３Ｖを検出すると、電源制御ＩＣ５２のＡＳＩＣリセット部５２Ｂは、ＡＳＩＣ５１をリセットするローレベルのＡＳＩＣリセット信号ＡＳＩＣ−ＲＳＴを解除するために、ハイレベルのＡＳＩＣリセット信号ＡＳＩＣ−ＲＳＴをＡＳＩＣ５１に送信し、ＡＳＩＣ５１を起動する。ＡＳＩＣ５１は、起動後、ＭＣＵ７１をリセットするローレベルのＭＣＵリセット信号ＭＣＵ−ＲＳＴを解除するために、通信線ＣＬ２を介してハイレベルのＭＣＵリセット信号ＭＣＵ−ＲＳＴをＭＣＵ７１に送信して、ＭＣＵ７１を起動する。
【００７６】
なお、上記したように、電源制御ＩＣ５２は、電源制御ＩＣ電源３０からの電力供給によって起動するため、本体低圧電源２０が起動していなくても電源ボタンＳＷ１のオン・オフを検出することができる。また、状態ＳＴ３において、専用電源コード７Ａが抜かれると、本体低圧電源２０が停止し、本体低圧電源２０から電力を供給されていたＭＣＵ７１も停止し、タワートレイ７０は、状態ＳＴ２となる。あるいは、状態ＳＴ３において、プリンタ１からタワートレイ７０が取り外された場合も、本体低圧電源２０は電源線ＳＬ１を介してタワートレイ７０のＭＣＵ７１に３．３Ｖの制御用電圧を供給することができなくなるので、ＭＣＵ７１は停止し、タワートレイ７０は状態ＳＴ２となる。
【００７７】
また、本実施形態のＡＳＩＣ５１は、起動すると初期設定を実行する。ここでいう初期設定とは、例えば、内部処理で使用する時間情報の誤差を補正する処理などである。ＡＳＩＣ５１が初期設定を完了させ、ＭＣＵ７１が起動した後、状態ＳＴ３において、後述のタワートレイ低圧電源７２の出力状態を判定するために、ＭＣＵ７１がタワートレイ低圧電源７２へハイレベル（３．３Ｖ）のＤｅｅｐ−ＯＮ／ＯＦＦ信号を送信する。タワートレイ７０は通常モードとなり、状態ＳＴ６となる。また、コンパレータ７７は、後述のハイレベルの検出信号ＳＫをＭＣＵ７１に出力する。状態ＳＴ６において、ＡＳＩＣ５１は、システム全体の電源をオフするため、タワートレイ低圧電源７２の動作を停止させる指令信号ＳＩ１を、通信線ＣＬ２を介してＭＣＵ７１に送信する。タワートレイ低圧電源７２の動作を停止させる指令信号ＳＩ１を受信したＭＣＵ７１は、まずタワートレイ低圧電源７２へローレベル（０Ｖ）のＤｅｅｐ−ＯＮ／ＯＦＦ信号を送信する。タワートレイ７０は、第２低出力モードである状態ＳＴ３に一旦移行する。次に、状態ＳＴ３において、ＭＣＵ７１は、ＯＦＦパルスＰＳ２（タワートレイ低圧電源信号ＴＴＳ−ＯＮ／ＯＦＦ）をタワートレイ低圧電源７２に送信する。タワートレイ低圧電源７２は第１低出力モード（０Ｖ）に移行し、状態ＳＴ４となる。コンパレータ７７は、後述のローレベルの検出信号ＳＫをＭＣＵ７１に出力する。なお、状態ＳＴ２において、プリンタ１にタワートレイ７０が装着されていて電気的に接続され、且つプリンタ１の専用電源コード７Ａが接続部７４に接続された場合、特にユーザが操作することなく、状態ＳＴ３、状態ＳＴ６、状態ＳＴ３、状態ＳＴ４、状態ＳＴ５へと自動的に移行する。
【００７８】
なお、ＡＳＩＣ５１は、状態ＳＴ４となったＭＣＵ７１から後述する完了コマンドＳＣを受信するまで、通信線ＣＬ２を介してタワートレイ低圧電源７２の動作を停止させる指令信号ＳＩ１をＭＣＵ７１に向けて定期的に送信し続ける。例えば、プリンタ１の専用電源コード７Ａが接続部７４に接続されていてＡＳＩＣ５１は動作しているにもかかわらず、プリンタ１からタワートレイ７０が取り外されていてＭＣＵ７１が停止している場合は、プリンタ１とタワートレイ７０とが電気的に接続されていない状態であるので、ＡＳＩＣ５１がタワートレイ低圧電源７２の動作を停止させる指令信号ＳＩ１をＭＣＵ７１に向けて送信しても、ＭＣＵ７１が指令信号ＳＩ１を受信することができる状態でない。そのため、状態ＳＴ２においてプリンタ１にタワートレイ７０が装着されて電気的に接続されて状態ＳＴ３となり、状態ＳＴ３において起動したＭＣＵ７１がＡＳＩＣ５１からの指令信号ＳＩ１を受信してタワートレイ低圧電源７２の動作を停止させて状態ＳＴ４となり、タワートレイ低圧電源７２の動作が停止したことを示す完了コマンドＳＣをＭＣＵ７１から受信するまで、ＡＳＩＣ５１はタワートレイ低圧電源７２の動作を停止させる指令信号ＳＩ１をＭＣＵ７１に向けて送信し続けることになる。
【００７９】
状態ＳＴ４において、プリンタ１の専用電源コード７Ａが切断される、あるいは、プリンタ１からタワートレイ７０が取り外される、あるいは、プリンタ１側がオフモードへ移行すると、タワートレイ７０は、状態ＳＴ５となる。状態ＳＴ５では、ＭＣＵ７１は、本体低圧電源２０からの制御電圧の供給がなくなり停止状態となる。例えば、プリンタ１側がオフモードへ移行する場合、ＡＳＩＣ５１は、ＭＣＵ７１を停止（リセット）するローレベルのＭＣＵリセット信号ＭＣＵ−ＲＳＴ（図２参照）を、通信線ＣＬ２を介してＭＣＵ７１に送信し、ＭＣＵ７１を停止させる。また、ＡＳＩＣ５１は、本体低圧電源２０を停止する電源ＯＦＦコマンドＰＳ−ＯＦＦを電源制御ＩＣ５２に送信する。電源制御ＩＣ５２は、本体低圧電源２０を停止するパルス状の電源制御信号ＰＳ−ＯＮ／ＯＦＦを本体低圧電源２０の制御ＩＣ２２へ送信し、本体低圧電源２０を停止させる。これにより、ＭＣＵ７１が起動していて第１低出力モードである状態ＳＴ４から、ＭＣＵ７１が停止していて第１低出力モードである状態ＳＴ５へ移行するとき、プリンタ１はオフモードへ移行する。つまり、状態ＳＴ５において、プリンタ１はオフモードであり、タワートレイ７０は第１低出力モードである。
【００８０】
また、状態ＳＴ５において、プリンタ１にタワートレイ７０が装着されて電気的に接続された状態でプリンタ１の専用電源コード７Ａが接続部７４に接続された状態になる、あるいはプリンタ１がオフモード中に電源ボタンＳＷ１がオン操作されると、タワートレイ７０は、状態ＳＴ４となる。プリンタ１にタワートレイ７０が装着されて電気的に接続された状態でプリンタ１の専用電源コード７Ａが接続部７４に接続された状態になった場合、本体低圧電源２０に電力が供給されて本体低圧電源２０が起動し、起動した本体低圧電源２０から３．３Ｖの制御用電圧がＭＣＵ７１に供給されてＭＣＵ７１が起動する。一方、プリンタ１がオフモード中に電源ボタンＳＷ１がオン操作された場合、オン操作されたことを検知した電源制御ＩＣ５２が、本体低圧電源２０の制御ＩＣ２２へ本体低圧電源２０を起動するパルス状の電源制御信号ＰＳ−ＯＮ／ＯＦＦを送信して本体低圧電源２０が起動し、起動した本体低圧電源２０から３．３Ｖの制御用電圧がＭＣＵ７１に供給されてＭＣＵ７１が起動する。状態ＳＴ４において、プリンタ１はディープスリープモードであり、タワートレイ７０は第１低出力モードである。
【００８１】
状態ＳＴ５から状態ＳＴ４へ移行した場合、本実施形態において、後述する電源コード７５の交流電源ＡＣへの接続の有無を判定するために、ＭＣＵ７１は、ハイレベル（３．３Ｖ）のＤｅｅｐ−ＯＮ／ＯＦＦ信号をタワートレイ低圧電源７２へ送信する。そして、ＭＣＵ７１は、タワートレイ低圧電源７２を起動させるＯＮパルスＰＳ１をタワートレイ低圧電源７２へ送信する。これにより、電源コード７５が交流電源ＡＣへ接続されている場合、タワートレイ低圧電源７２のオプション駆動用電圧は、０Ｖから２４Ｖまで上昇し、状態ＳＴ４から状態ＳＴ６となるはずである。また、コンパレータ７７は、後述のハイレベルの検出信号ＳＫをＭＣＵ７１に出力する。状態ＳＴ４から状態ＳＴ６へ移行後、ＡＳＩＣ５１は、プリンタ１をディープスリープモードにし、タワートレイ低圧電源７２を停止するため、タワートレイ低圧電源７２の動作を停止させる指令信号ＳＩ１を、通信線ＣＬ２を介してＭＣＵ７１に送信する。タワートレイ低圧電源７２の動作を停止させる指令信号ＳＩ１を受信したＭＣＵ７１は、まずタワートレイ低圧電源７２へローレベルのＤｅｅｐ−ＯＮ／ＯＦＦ信号を送信する。タワートレイ７０は、第２低出力モードである状態ＳＴ３に一旦移行する。次に、状態ＳＴ３において、ＭＣＵ７１は、ＯＦＦパルスＰＳ２をタワートレイ低圧電源７２に送信する。タワートレイ低圧電源７２は第１低出力モード（０Ｖ）に移行し、状態ＳＴ４となる。コンパレータ７７は、後述のローレベルの検出信号ＳＫをＭＣＵ７１に出力する。なお、状態ＳＴ５において、プリンタ１にタワートレイ７０が装着されて電気的に接続された状態でプリンタ１の専用電源コード７Ａが接続部７４に接続された状態になる、あるいはプリンタ１がオフモード中に電源ボタンＳＷ１がオン操作された場合、特にユーザがさらなる操作を行うことなく、状態ＳＴ４、状態ＳＴ６、状態ＳＴ３、状態ＳＴ４へと自動的に移行する。
【００８２】
状態ＳＴ４において、プリンタ１が印刷実行要求を受信したり図示しない操作部を介したユーザによる入力操作を受け付けたりすると、タワートレイ低圧電源７２は、ＭＣＵ７１からタワートレイ低圧電源７２を起動させるＯＮパルスＰＳ１を受信して第２低出力モードとなり、６Ｖのオプション駆動用電圧を生成する。つまり、タワートレイ７０は、状態ＳＴ３となる。
【００８３】
また、状態ＳＴ３において、ＭＣＵ７１がタワートレイ低圧電源７２へハイレベル（３．３Ｖ）のＤｅｅｐ−ＯＮ／ＯＦＦ信号を送信すると、タワートレイ７０は、状態ＳＴ６となる。タワートレイ低圧電源７２は、通常モードとなり、２４Ｖのオプション駆動用電圧を生成する。これによって、タワートレイ７０の給紙機構７３に含まれる、モータ及びソレノイド（「駆動負荷」の一例）に供給する、２４Ｖのオプション駆動用電圧が生成される。なお、本体低圧電源２０は、制御ＩＣ２２を介してＡＳＩＣ５１からの指令を受信して、装置駆動用電圧を６Ｖから２４Ｖに上げる。こうしてプリンタ１はレディモードとなる。状態ＳＴ６において、プリンタ１はレディモード、プリントモード、スリープモードのいずれかのモードであり、タワートレイ７０は通常モードである。また、状態ＳＴ４においてディープスリープモードとなっているプリンタ１がレディモードへ移行する場合、特にユーザが操作を行うことなく、状態ＳＴ３、状態ＳＴ６へと自動的に移行する。
【００８４】
状態ＳＴ６において、専用電源コード７Ａが抜かれると、本体低圧電源２０が停止し、本体低圧電源２０から電力を供給されていたＭＣＵ７１も停止する。そして、タワートレイ低圧電源７２は、信号線ＣＬ５の電位がグランド電位となると、ローレベルのＤｅｅｐ−ＯＮ／ＯＦＦ信号を受信する状態となり、オプション駆動用電圧を６Ｖとする。こうしてタワートレイ７０は、第２低出力モードである状態ＳＴ２となる。一方、プリンタ１は、本体低圧電源２０及び電源制御ＩＣ電源３０が停止した状態となる。
【００８５】
また、状態ＳＴ６において、プリンタ１からタワートレイ７０が取り外されると、本体低圧電源２０は電源線ＳＬ１を介してタワートレイ７０のＭＣＵ７１に３．３Ｖの制御用電圧を供給することができなくなるので、ＭＣＵ７１は停止する。そして、タワートレイ低圧電源７２は、信号線ＣＬ５の電位がグランド電位となると、ローレベルのＤｅｅｐ−ＯＮ／ＯＦＦ信号を受信する状態となり、オプション駆動用電圧を６Ｖとする。こうしてタワートレイ７０は、第２低出力モードである状態ＳＴ２となる。一方、プリンタ１は、本体低圧電源２０及び電源制御ＩＣ電源３０が動作した状態のままとなる。
【００８６】
状態ＳＴ６において、プリンタ１がスリープモードからディープスリープモードへ移行する場合、あるいは電源ボタンＳＷ１がオフ操作された場合、ＡＳＩＣ５１は制御ＩＣ２２へ指令を送信し、本体低圧電源２０の装置駆動用電圧を２４Ｖから６Ｖに下げる。プリンタ１は、ディープスリープモードとなる。ＡＳＩＣ５１は、タワートレイ低圧電源７２の動作を停止させる指令信号ＳＩ１を、通信線ＣＬ２を介してＭＣＵ７１に送信する。タワートレイ低圧電源７２の動作を停止させる指令信号ＳＩ１を受信したＭＣＵ７１は、まずタワートレイ低圧電源７２へローレベル（０Ｖ）のＤｅｅｐ−ＯＮ／ＯＦＦ信号を送信する。タワートレイ７０は、第２低出力モードである状態ＳＴ３に一旦移行する。次に、状態ＳＴ３において、ＭＣＵ７１は、ＯＦＦパルスＰＳ２をタワートレイ低圧電源７２に送信する。タワートレイ低圧電源７２は第１低出力モード（０Ｖ）に移行し、状態ＳＴ４となる。
【００８７】
状態ＳＴ６においてスリープモードとなっているプリンタ１がディープスリープモードへ移行する場合、特にユーザが操作を行うことなく、状態ＳＴ３、状態ＳＴ４へと自動的に移行する。一方、状態ＳＴ６において電源ボタンＳＷ１がオフ操作された場合、特にユーザがさらなる操作を行うことなく、状態ＳＴ３、状態ＳＴ４、状態ＳＴ５へと自動的に移行する。
【００８８】
なお、上述したように、状態ＳＴ４において、ＭＣＵ７１がタワートレイ低圧電源７２へハイレベルのＤｅｅｐ−ＯＮ／ＯＦＦ信号を送信する場合があるが、タワートレイ低圧電源７２は停止しているので、タワートレイ７０は、状態ＳＴ４を維持する（「第１低出力モード維持処理」の一例）。一方で、状態ＳＴ４において、ＭＣＵ７１がタワートレイ低圧電源７２へハイレベルのＤｅｅｐ−ＯＮ／ＯＦＦ信号を送信している状態でＭＣＵ７１がタワートレイ低圧電源７２へＯＮパルスＰＳ１を送信すると、タワートレイ７０は、状態ＳＴ６となる。タワートレイ低圧電源７２のオプション駆動用電圧は、０Ｖから２４Ｖまで上昇する。タワートレイ７０は、上記した各条件の成立に従って、状態ＳＴ１〜ＳＴ６の各状態に遷移する。
【００８９】
ここで、図５に示す状態遷移において、ＭＣＵ７１が停止状態から起動状態へ遷移する状態遷移は、２通り存在する。１つ目は、状態ＳＴ２において、プリンタ１にタワートレイ７０が装着されていて電気的に接続されている状態でプリンタ１の専用電源コード７Ａが接続部７４に接続された場合、あるいはタワートレイ７０が状態ＳＴ２となる前から、既にプリンタ１にタワートレイ７０が装着されていて電気的に接続されている状態で且つプリンタ１の専用電源コード７Ａが接続部７４に接続されていた場合に、状態ＳＴ３へ遷移する場合である。この場合、タワートレイ低圧電源７２は、状態ＳＴ３において第２低出力モード（６Ｖ）となっている。また、２つ目は、状態ＳＴ５において、プリンタ１にタワートレイ７０が装着されて電気的に接続された状態で専用電源コード７Ａが接続部７４に接続された状態となった場合、あるいはプリンタ１がオフモード中に電源ボタンＳＷ１がオン操作された場合に、状態ＳＴ４へ遷移する場合である。この場合、タワートレイ低圧電源７２は、状態ＳＴ４において第１低出力モード（０Ｖ）となっている。
【００９０】
一方で、ＭＣＵ７１は、タワートレイ低圧電源７２を適切に制御するため、起動後にタワートレイ低圧電源７２のモードを検出する必要がある。本実施形態のタワートレイ７０では、タワートレイ低圧電源７２から出力されるオプション駆動用電圧の大きさに応じた検出信号ＳＫを出力するコンパレータ７７を備える。コンパレータ７７は、１２Ｖの基準電圧と、オプション駆動用電圧とを比較して比較結果を検出信号ＳＫとしてＭＣＵ７１に送信する。タワートレイ低圧電源７２は、オプション駆動用電圧を、２４Ｖ，６Ｖ，０Ｖの三段階に切り替える。このため、ＭＣＵ７１は、コンパレータ７７の検出信号ＳＫに基づいて、通常モードと、低出力モード（第１低出力モード及び第２低出力モード）と判定することは可能である。しかしながら、ＭＣＵ７１は、検出信号ＳＫに基づいて、第１低出力モード（０Ｖ）と、第２低出力モード（６Ｖ）とを判定することはできない。これに対し、本実施形態のＭＣＵ７１は、起動後に、Ｄｅｅｐ−ＯＮ／ＯＦＦ信号を用いてタワートレイ低圧電源７２のモードを判定することを可能とする。これにより、低出力モードの判定のために、例えば３Ｖの基準電圧と、オプション駆動用電圧とを比較して比較結果を検出信号としてＭＣＵ７１に送信するようなコンパレータ７７を追加することがなく、回路構成の簡易化や製造コストの低減を図ることが可能となる。
【００９１】
次に、ＭＣＵ７１が起動後にタワートレイ低圧電源７２のモードを判定する処理の一例について、図６を参照しつつ説明する。まず、図６のステップ（以下、単位「Ｓ」と表記する）１３において、ＭＣＵ７１は、ハイレベル（３．３Ｖ）のＤｅｅｐ−ＯＮ／ＯＦＦ信号をタワートレイ低圧電源７２へ送信する（「低出力モード解除信号送信処理」の一例）。これにより、仮に、タワートレイ７０が状態ＳＴ３である場合には、状態ＳＴ６となり、オプション駆動用電圧は２４Ｖとなる。一方で、タワートレイ７０が状態ＳＴ４である場合には、状態ＳＴ４のまま維持されることとなり、オプション駆動用電圧は０Ｖとなる。
【００９２】
そこで、ＭＣＵ７１は、コンパレータ７７から出力される検出信号ＳＫがハイレベルか否かを判定する（Ｓ１５）。検出信号ＳＫがハイレベルである場合（Ｓ１５：ＹＥＳ）、ＭＣＵ７１は、タワートレイ低圧電源７２の変更前のモードを第２低出力モード、即ち、状態ＳＴ３であったと判定する（Ｓ１７）。
【００９３】
次に、Ｓ１３を実行して状態を変更（状態ＳＴ３→状態ＳＴ６に変更）しているため、ＭＣＵ７１は、状態を状態ＳＴ３に戻す制御を実行する。ＭＣＵ７１は、Ｓ１７で第２低出力モードを検出すると、Ｄｅｅｐ−ＯＮ／ＯＦＦ信号を下げる（３．３Ｖ→０Ｖ）処理を行う（Ｓ１９、「低出力モード移行信号送信処理」の一例）。タワートレイ低圧電源７２は、信号線ＣＬ５を介して０ＶのＤｅｅｐ−ＯＮ／ＯＦＦ信号を受信すると、オプション駆動用電圧を下げる（２４Ｖ→６Ｖ）処理を行い、第２低出力モードとなる。ＭＣＵ７１は、ＯＦＦパルスＰＳ２をタワートレイ低圧電源７２に送信する（Ｓ２１）。タワートレイ低圧電源７２は第１低出力モード（０Ｖ）に移行する。
【００９４】
ＭＣＵ７１は、コンパレータ７７から入力される検出信号ＳＫの信号レベルを判定する（Ｓ２３）。ＭＣＵ７１は、コンパレータ７７からローレベルの検出信号ＳＫが入力されるまで、状態を維持する（Ｓ２３：ＮＯ）。ＭＣＵ７１は、コンパレータ７７からのローレベルの検出信号ＳＫを検出した場合（Ｓ２３：ＹＥＳ）、タワートレイ低圧電源７２の第１低出力モードへの移行が終了した旨の完了コマンドＳＣ（図２参照）をＡＳＩＣ５１へ送信する（Ｓ２５）。これにより、ＡＳＩＣ５１は、ＭＣＵ７１を介してタワートレイ低圧電源７２を適切に制御可能となる。
【００９５】
また、Ｓ１５において、検出信号ＳＫがローレベルである場合（Ｓ１５：ＮＯ）、タワートレイ低圧電源７２は、第１低出力モード、即ち、状態ＳＴ４である可能性が高い。ここで、図２に示すように、プリンタ１は、タワートレイ７０と接続する専用電源コード７Ａを備えている。また、タワートレイ７０は、専用電源コード７Ａを接続するための接続部７４、及びプラグ付き電源コード７５を備えている。このような構成のプリンタシステム１００において、例えば、ユーザによって専用電源コード７Ａを交流電源ＡＣに直接接続し、電源コード７５を接続しないといった誤った接続が行われた場合、ＭＣＵ７１は、プリンタ１の本体低圧電源２０から電力を供給され起動することとなる。一方で、タワートレイ低圧電源７２は、電源コード７５が接続されていないため、電力を供給されず、停止状態となる。
【００９６】
このようなユーザによって誤った接続がなされることを想定し、ＭＣＵ７１は、起動後に、タワートレイ低圧電源７２が第１低出力モードであるためにオプション駆動用電圧を０Ｖとしている状態であるのか、あるいは電源コード７５が接続されていないためオプション駆動用電圧を生成できない状態であるのかを判定する必要がある。即ち、ＭＣＵ７１は、電源コード７５の接続の有無を判定する必要がある。本実施形態のＭＣＵ７１は、起動後に、ハイレベルのＤｅｅｐ−ＯＮ／ＯＦＦ信号に加え、ＯＮパルスＰＳ１を用いて、タワートレイ低圧電源７２のモードだけでなく、電源コード７５の接続の有無を判定することが可能となっている。これにより、電源コード７５の接続を検出するための装置（ゼロクロス信号生成回路など）を設ける必要がなく、回路構成の簡易化や製造コストの低減を図ることが可能となる。
【００９７】
Ｓ１５において、ＭＣＵ７１は、検出信号ＳＫがローレベルである場合（Ｓ１５：ＮＯ）、ＯＮパルスＰＳ１をタワートレイ低圧電源７２に送信する（Ｓ２７、「低出力モード解除信号送信処理」の一例）。このとき、図５に示すように、ＭＣＵ７１はハイレベルのＤｅｅｐ−ＯＮ／ＯＦＦ信号を送信しているので、状態ＳＴ４から状態ＳＴ６となり、タワートレイ低圧電源７２のオプション駆動用電圧は、０Ｖから２４Ｖまで上昇するはずである。そこで、ＭＣＵ７１は、Ｄｅｅｐ−ＯＮ／ＯＦＦ信号をハイレベルで維持した状態で、ＯＮパルスＰＳ１を送信した後、再度、検出信号ＳＫがハイレベルであるか否かを判定する（Ｓ２９）。
【００９８】
検出信号ＳＫがハイレベルである場合（Ｓ２９：ＹＥＳ）、ＭＣＵ７１は、タワートレイ低圧電源７２の変更前のモードを第１低出力モード、即ち、状態ＳＴ４であったと判定する（Ｓ３１）。このようにしてＭＣＵ７１は、第１低出力モード及び第２低出力モードを判定することが可能となっている。ＭＣＵ７１は、第１低出力モードであることを検出すると（Ｓ３１）、変更した信号を戻すため、Ｄｅｅｐ−ＯＮ／ＯＦＦ信号をローレベルに下げ、ＯＦＦパルスＰＳ２を送信する処理を行う（Ｓ３３、「低出力モード移行信号送信処理」の一例）。
【００９９】
ＭＣＵ７１は、検出信号ＳＫの信号レベルを判定し（Ｓ２３）、ローレベルの検出信号ＳＫが入力されと（Ｓ２３：ＹＥＳ）、タワートレイ低圧電源７２の第１低出力モードへの移行が終了した旨の完了コマンドＳＣをＡＳＩＣ５１へ送信する（Ｓ２５）。
【０１００】
一方で、Ｓ２９において、検出信号ＳＫがローレベルである場合（Ｓ２９：ＮＯ）、ＭＣＵ７１は、電源コード７５が交流電源ＡＣに接続されていないと判定する（Ｓ３５）。ＭＣＵ７１は、電源コード７５が接続されていないことを示すエラー情報ＥＲ（図２参照）を、通信線ＣＬ１を介してＡＳＩＣ５１へ送信する（Ｓ３７、「通知処理」の一例）。ＡＳＩＣ５１は、エラー情報ＥＲを受信すると、例えば、表示部４にエラーを表示してユーザに電源コード７５が接続されていないことを報知する。このようにして、ＭＣＵ７１は、モードの判定だけでなく、電源コード７５の接続の有無を判定することが可能となっている。
【０１０１】
因みに、プリンタシステム１００は、画像形成システムの一例である。プリンタ１は、画像形成装置の一例である。印刷部２は、画像形成部の一例である。本体低圧電源２０は、装置電源の一例である。制御装置５０は、装置制御部の一例である。タワートレイ７０は、オプション装置の一例である。タワートレイ制御部７１は、オプション制御部の一例である。タワートレイ低圧電源７２は、オプション電源の一例である。給紙機構７３は、駆動負荷の一例である。コンパレータ７７は、検出回路の一例である。交流電源ＡＣは、外部電源の一例である。Ｓ１３，Ｓ２７の処理は、低出力モード解除信号送信処理の一例である。タワートレイ低圧電源信号ＴＴＳ−ＯＮ／ＯＦＦ及びＤｅｅｐ−ＯＮ／ＯＦＦ信号は、移行信号及び解除信号の一例である。Ｓ２１，Ｓ３３の処理は、低出力モード移行信号送信処理の一例である。Ｓ３７の処理は、通知処理の一例である。ＯＦＦパルスＰＳ２は、第１低出力モード移行信号の一例である。状態ＳＴ３から状態ＳＴ４へ遷移する際のタワートレイ低圧電源７２の処理は、第１低出力モード移行処理の一例である。ＯＮパルスＰＳ１は、第１低出力モード解除信号の一例である。状態ＳＴ４から状態ＳＴ３へ遷移する際のタワートレイ低圧電源７２の処理は、第１低出力モード解除処理の一例である。Ｄｅｅｐ−ＯＮ／ＯＦＦ信号は、第２低出力モード移行信号及び第２低出力モード解除信号の一例である。状態ＳＴ６から状態ＳＴ３へ遷移する際のタワートレイ低圧電源７２の処理は、第２低出力モード移行処理の一例である。状態ＳＴ３から状態ＳＴ６へ遷移する際のタワートレイ低圧電源７２の処理は、通常モード移行処理の一例である。
【０１０２】
以上、上記した実施形態によれば、以下の効果を奏する。
＜効果１＞プリンタ１の本体低圧電源２０は、電源線ＳＬ１を介してタワートレイ７０のＭＣＵ７１に３．３Ｖの制御用電圧を供給する。これにより、ＭＣＵ７１を、プリンタ１が備える制御装置５０のＡＳＩＣ５１が起動している時（プリントモード、レディモード、スリープモード、ディープスリープモード）のみ動作させることが可能となり、省電力化を図ることが可能となっている。
【０１０３】
また、本実施形態のタワートレイ７０は、タワートレイ低圧電源７２から出力されるオプション駆動用電圧の大きさを判定するためのコンパレータ７７を備えている。コンパレータ７７は、基準電圧と、オプション駆動用電圧とを比較して比較結果を検出信号ＳＫとしてＭＣＵ７１へ送信する。これにより、ＭＣＵ７１は、検出信号ＳＫに基づいて、タワートレイ低圧電源７２の動作状態（モードや電源コード７５の接続の有無）を判定可能となっている。
【０１０４】
＜効果２＞コンパレータ７７は、オプション駆動用電圧が基準電圧を上回っている場合（２４Ｖの場合）、ハイレベルの検出信号ＳＫをＭＣＵ７１に出力し、オプション駆動用電圧が基準電圧を下回っている場合（６Ｖ又は０Ｖの場合）、ローレベルの検出信号ＳＫをＭＣＵ７１に出力する。従って、ＭＣＵ７１は、検出信号ＳＫに基づいて、タワートレイ低圧電源７２が通常モード又は低出力モード（第１低出力モード及び第２低出力モード）であることを判定することができる。
【０１０５】
＜効果３＞タワートレイ低圧電源７２は、第１低出力モードである状態ＳＴ４において、ＭＣＵ７１からＯＮパルスＰＳ１及びハイレベルのＤｅｅｐ−ＯＮ／ＯＦＦ信号（「解除信号」の一例）を受信すると、通常モード（状態ＳＴ６）へ復帰する。一方、電源コード７５を交流電源ＡＣに接続していない場合、ＯＮパルスＰＳ１及びハイレベルのＤｅｅｐ−ＯＮ／ＯＦＦ信号を入力しても、タワートレイ低圧電源７２のオプション駆動用電圧は、０Ｖのままである。このため、ＭＣＵ７１は、ＯＮパルスＰＳ１及びハイレベルのＤｅｅｐ−ＯＮ／ＯＦＦ信号を送信することで、電源コード７５の接続の有無を判定することが可能となる。
【０１０６】
＜効果４＞ＭＣＵ７１は、Ｓ１３を実行し、タワートレイ低圧電源７２を第２低出力モードから通常モードへ変更（状態ＳＴ３→状態ＳＴ６）した場合、モードの判定が終わると（Ｓ１７）、Ｄｅｅｐ−ＯＮ／ＯＦＦ信号を下げる等の状態を元に戻す処理を行う（Ｓ１９，Ｓ２１、「低出力モード移行信号送信処理」の一例）。これにより、ＭＣＵ７１は、電源コード７５が適切に接続され、第２低出力モードであることを確認した上で、省電力化を図ることが可能となる。
【０１０７】
＜効果５＞ＭＣＵ７１は、ＯＮパルスＰＳ１をタワートレイ低圧電源７２に送信（Ｓ２７、「低出力モード解除信号送信処理」の一例）した後、検出信号ＳＫがローレベルである場合（Ｓ２９：ＮＯ）、電源コード７５が交流電源ＡＣに接続されていないと判定する（Ｓ３５）。ＭＣＵ７１は、電源コード７５が接続されていないことを示すエラー情報ＥＲを、通信線ＣＬ１を介してＡＳＩＣ５１へ送信する（Ｓ３７）。これにより、ＡＳＩＣ５１は、表示部４にエラーを表示してユーザに電源コード７５が接続されていないことを報知するなどの処理が可能となる。
【０１０８】
＜効果６＞タワートレイ低圧電源７２は、図５に示す状態ＳＴ４において、ＭＣＵ７１からＯＮパルスＰＳ１（図４参照、「第１低出力モード解除信号」の一例）を受信すると、第１低出力モードから第２低出力モードへ復帰する（状態ＳＴ４→状態ＳＴ３）。また、タワートレイ低圧電源７２は、状態ＳＴ３において、ＯＦＦパルスＰＳ２を受信すると、第２低出力モードから第１低出力モードへ移行する（状態ＳＴ３→状態ＳＴ４）。本実施形態では、ＯＮパルスＰＳ１のパルス幅は、ＯＦＦパルスＰＳ２に比べて短くなっている。このため、例えば、ＭＣＵ７１は、ＯＮパルスＰＳ１等の立ち上がり及び立ち下がりを検出することで、ＯＮパルスＰＳ１又はＯＦＦパルスＰＳ２の判別が可能となる。
【０１０９】
＜効果７＞プリンタシステム１００は、ＭＣＵ７１とタワートレイ低圧電源７２とを信号線ＣＬ５で接続している。タワートレイ低圧電源７２は、状態ＳＴ６において、ＭＣＵ７１から信号線ＣＬ５を介してグランド電圧Ｖｇｄ（ローレベル）のＤｅｅｐ−ＯＮ／ＯＦＦ信号（「第２低出力モード移行信号」の一例）を受信すると、第２低出力モードの状態ＳＴ３へ遷移する（「第２低出力モード移行処理」の一例）。また、タワートレイ低圧電源７２は、状態ＳＴ３において、ＭＣＵ７１からハイレベルのＤｅｅｐ−ＯＮ／ＯＦＦ信号（「第２低出力モード解除信号」の一例）を受信すると、通常モードの状態ＳＴ６へ遷移する（「通常モード移行処理」の一例）。また、信号線ＣＬ５は、プルダウン抵抗ＲＤを介してグランドに接地されており、グランド電圧Ｖｇｄが供給されている。従って、ＭＣＵ７１からハイレベルのＤｅｅｐ−ＯＮ／ＯＦＦ信号が送信されていない状態では、信号線ＣＬ５の電位は、グランド電位（０Ｖ）となる。信号線ＣＬ５の電位がグランド電位となると、タワートレイ低圧電源７２は、ローレベルのＤｅｅｐ−ＯＮ／ＯＦＦ信号を受信する状態と同様の状態となり、オプション駆動用電圧を６Ｖとする。これにより、例えば、タワートレイ低圧電源７２が２４Ｖを出力する通常モードで、専用電源コード７Ａが接続部７４から抜かれ、プリンタ１だけが停止し、そのプリンタ１の本体低圧電源２０から電力供給を受けるＭＣＵ７１も停止してしまった場合に、信号線ＣＬ５の電位をグランド電位とすることで、タワートレイ低圧電源７２から出力されるオプション駆動用電圧を下げることができ、省電力化を図ることが可能となる。
【０１１０】
＜効果８＞図５に示す状態ＳＴ４において、ＭＣＵ７１からタワートレイ低圧電源７２へタワートレイ低圧電源信号ＴＴＳ−ＯＮ／ＯＦＦを送信せずに、ハイレベルのＤｅｅｐ−ＯＮ／ＯＦＦ信号（「第２低出力モード解除信号」の一例）を送信すると、タワートレイ低圧電源７２は、第１低出力モード（状態ＳＴ４）を維持する。このため、ＭＣＵ７１は、例えば、起動後に、ハイレベルのＤｅｅｐ−ＯＮ／ＯＦＦ信号をタワートレイ低圧電源７２に送信し（Ｓ１３）、コンパレータ７７からハイレベルの検出信号ＳＫを受信する場合（Ｓ１５：ＹＥＳ）、タワートレイ低圧電源７２を第２低出力モードであると判定することが可能となる（Ｓ１７）。つまり、ＭＣＵ７１は、Ｄｅｅｐ−ＯＮ／ＯＦＦ信号と、コンパレータ７７の検出信号ＳＫとを併用することによって、第１低出力モードと第２低出力モードとを判別することが可能となっている。
【０１１１】
なお、本発明は、上記実施形態に限定されるものではなく、当業者の知識に基づいて種々の変更、改良を施した種々の態様で実施することが可能である。
例えば、上記実施形態において、タワートレイ低圧電源７２は、図７に示すように、交流電源ＡＣのゼロクロスタイミングに同期したゼロクロス信号ＳＺを生成するゼロクロス信号生成回路８１を備える構成でもよい。ゼロクロス信号生成回路８１は、例えば、交流電源ＡＣから供給される交流電圧のゼロクロスタイミングに応じたパルス信号を、ゼロクロス信号ＳＺとしてＭＣＵ７１に供給する。また、電源コード７５を交流電源ＡＣに接続していない場合、ゼロクロス信号ＳＺは生成されない。このため、ＭＣＵ７１は、ゼロクロス信号ＳＺに基づいて、電源コード７５の接続の有無を判定することが可能となる。
【０１１２】
また、タワートレイ７０は、複数のコンパレータ７７を備える構成でもよい。例えば、タワートレイ７０は、６Ｖと０Ｖとの間に基準電圧を設定したコンパレータ７７を備えてもよい。これにより、ＭＣＵ７１は、当該コンパレータ７７の検出信号ＳＫに基づいて、第１低出力モード（０Ｖ）と、第２低出力モード（６Ｖ）とを判定することが可能となる。
【０１１３】
また、タワートレイ低圧電源７２は、低出力モードを備えなくともよい。例えば、タワートレイ低圧電源７２は、２４Ｖのオプション駆動用電圧のみを生成可能な構成でもよい。この場合、ＭＣＵ７１は、コンパレータ７７の検出信号ＳＫに基づいて、電源コード７５の接続の有無を判定してもよい。また、Ｄｅｅｐ−ＯＮ／ＯＦＦ信号を伝送する信号線ＣＬ５を省略することが可能となる。
【０１１４】
また、ＭＣＵ７１は、図６に示すＳ１９及びＳ２１の処理、即ち、Ｄｅｅｐ−ＯＮ／ＯＦＦ信号を下げる処理等（「低出力モード移行信号送信処理」の一例）を実行しない設定でもよい。例えば、ＭＣＵ７１は、タワートレイ低圧電源７２のモードの判定が終わると（Ｓ１７）、タワートレイ低圧電源７２が２４Ｖで起動した旨の完了コマンドＳＣをＡＳＩＣ５１へ送信（Ｓ２５）し、処理を終了してもよい。
また、ＭＣＵ７１は、図６に示すＳ１９の処理を実行し、Ｓ２１の処理を実行しない設定でもよい。例えば、ＭＣＵ７１は、タワートレイ低圧電源７２のモードの判定が終わると（Ｓ１７）、タワートレイ低圧電源７２が６Ｖで起動した旨の完了コマンドＳＣをＡＳＩＣ５１へ送信（Ｓ２５）し、処理を終了してもよい。
また、上記実施形態では、タワートレイ低圧電源７２を、プリンタ１がディープスリープモードにおいて、オプション駆動用電圧の生成を停止する第１低出力モードとしたが、６Ｖのオプション駆動用電圧を供給する第２低出力モードにする設定でもよい。
また、ＭＣＵ７１は、電源コード７５が接続されていないことを示すエラー情報ＥＲをＡＳＩＣ５１へ送信（Ｓ３７）しない設定でもよい。
また、タワートレイ７０は、信号線ＣＬ５に接続されたプルダウン抵抗ＲＤを備えない構成でもよい。
また、図４に示した例とは逆に、ＯＮパルスＰＳ１のパルス幅を、ＯＦＦパルスＰＳ２に比べて長くしてもよいし同じにしてもよい。
【符号の説明】
【０１１５】
１００  プリンタシステム（画像形成システム）、１  プリンタ（画像形成装置）、２  印刷部（画像形成部の一例）、２０  本体低圧電源（装置電源）、５０  制御装置（装置制御部）、７０  タワートレイ（オプション装置）、７１  タワートレイ制御部（オプション制御部）、７２  タワートレイ低圧電源（オプション電源）、７３  給紙機構（駆動負荷）、７５  電源コード、７７  コンパレータ（検出回路）、ＡＣ  交流電源（外部電源）、ＳＬ１  電源線、ＳＫ  検出信号、ＣＬ５  信号線、ＲＤ  プルダウン抵抗。
【図１】
0006421654.tif 000002
【図２】
0006421654.tif 000003
【図３】
0006421654.tif 000004
【図４】
0006421654.tif 000005
【図５】
0006421654.tif 000006
【図６】
0006421654.tif 000007
【図７】
0006421654.tif 000008